(57)【要約】【課題】シール性が向上する封止部材を提供する。【解決手段】電線Ｗが挿入される電線挿通孔１７を有する電線保持部１６と、電線保持部１６の外周面に設けられた突状のリップ部１８とを備え、コネクタハウジング２に装着される封止部材１５であって、リップ部１８の突出方向Ｓは、電線Ｗのコネクタハウジング２への装着状態では、電線挿通孔１７の軸方向Ａの垂直方向Ｖである。【選択図】図２
2016225030.tif 000002
【特許請求の範囲】
【請求項１】
電線が挿入される電線挿通孔を有する電線保持部と、前記電線挿通孔の内周面と前記電線保持部の外周面の少なくともいずれか一方に設けられた突状のリップ部とを備え、ハウジングに装着される封止部材であって、
前記リップ部の突出方向は、前記電線の前記ハウジングへの装着状態では、前記電線挿通孔の軸方向の垂直方向であることを特徴とする封止部材。
【請求項２】
請求項１記載の封止部材であって、
前記リップ部が前記電線保持部の外周面に設けられ、前記電線の外側に装着された状態で前記ハウジングに装着に配置される封止栓であり、
前記リップ部の突出方向は、前記ハウジングへの装着前の状態では、前記電線挿通孔の軸方向の垂直方向よりも挿入前向きに傾斜していることを特徴とする封止部材。
【請求項３】
請求項１記載の封止部材であって、
前記リップ部が前記電線挿通孔の内周面に設けられ、電線が前記電線挿通孔に挿入されるマットシールであり、
前記リップ部の突出方向は、前記電線の前記ハウジングへの装着前の状態では、前記電線挿通孔の軸方向の垂直方向よりも挿入方向と反対向きに傾斜していることを特徴とする封止部材。
【発明の詳細な説明】
【技術分野】
【０００１】
本発明は、電線が外部に引き出されたハウジング内への水等の侵入を防止する封止部材に関する。
【背景技術】
【０００２】
この種の従来の封止部材として図７、図８に示すものが提案されている（特許文献１等参照）。この封止部材である封止栓５０は、軟質のゴム材より形成されている。封止栓５０は、電線Ｗを保持する電線保持部５１と、この電線保持部５１に一体に形成され、外側に向かって突出する複数のリップ部５２とを備えている。封止栓５０は、図８に示すように、電線Ｗの外側に装着された状態でコネクタハウジング６０の電線引出孔６１に矢印方向より挿入される。封止栓５０は、電線引出孔６１に圧縮変形しつつ挿入される。挿入された封止栓５０は、その電線挿通孔５１ａの内面が電線Ｗの外周面に、そのリップ部５２が電線引出孔６１の内周面にそれぞれ密着する。封止栓５０によって、コネクタハウジング６０の電線引出孔６１からの水等の侵入を防止すると共に、電線挿通孔５１ａからの水等の侵入も防止する。
【先行技術文献】
【特許文献】
【０００３】
【特許文献１】特開２００３−２７２７５８号公報
【発明の概要】
【発明が解決しようとする課題】
【０００４】
しかしながら、前記従来の封止栓５０では、電線引出孔６１に挿入される過程でリップ部５２が電線引出孔６１の内面より摩擦力を受けつつ移動（摺動）する。従って、封止栓５０のリップ部５２は、電線引出孔６１の挿入前の状態では、その突出方向Ｓが電線引出孔６１の軸方向Ａの垂直方向Ｖであったものが、電線引出孔６１の挿入完了状態では、図８に示すように、その突出方向Ｓが電線引出孔６１の軸方向Ａの垂直方向Ｖよりも挿入方向と反対向きに傾斜する。封止栓５０のシール性は、図３に示すように、リップ部５２の突出方向Ｓの向きに大きく依存し、電線引出孔６１の軸方向Ａの垂直方向Ｖに対し傾斜する状態では、シール性が低下するという問題があった。
【０００５】
そこで、本発明は、前記した課題を解決すべくなされたものであり、シール性が向上する封止部材を提供することを目的とする。
【課題を解決するための手段】
【０００６】
本発明は、電線が挿入される電線挿通孔を有する電線保持部と、前記電線挿通孔の内周面と前記電線保持部の外周面の少なくともいずれか一方に設けられた突状のリップ部とを備え、ハウジングに装着される封止部材であって、
前記リップ部の突出方向は、前記電線の前記ハウジングへの装着状態では、前記電線挿通孔の軸方向の垂直方向である封止部材である。
【０００７】
前記リップ部が前記電線保持部の外周面に設けられ、前記電線の外側に装着された状態で前記ハウジングに装着に配置される封止栓であり、前記リップ部の突出方向は、前記ハウジングへの装着前の状態では、前記電線挿通孔の軸方向の垂直方向よりも挿入前向きに傾斜しているものを含む。前記リップ部が前記電線挿通孔の内周面に設けられ、電線が前記電線挿通孔に挿入されるマットシールであり、前記リップ部の突出方向は、前記電線の前記コネクタハウジングへの装着前の状態では、前記電線挿通孔の軸方向の垂直方向よりも挿入方向と反対向きに傾斜しているものを含む。
【発明の効果】
【０００８】
本発明によれば、リップ部の突出方向は、電線挿通孔の軸方向の垂直方向である位置が最も高いシール圧を得ることができるため、シール性が向上する。
【図面の簡単な説明】
【０００９】
【図１】本発明の第１実施形態を示し、コネクタの断面図である。
【図２】本発明の第１実施形態を示し、（ａ）は図１のＤ１部拡大図、（ｂ）は封止栓をコネクタハウジングの電線引出孔に挿入する前の状態を示す断面図である。
【図３】リップ部の中心軸の角度とシール圧の関係を示す特性線図と、特性線におけるリップ部の中心軸等を示す断面図である。
【図４】本発明の第２実施形態を示し、マットシールの一部破断斜視図である。
【図５】本発明の第２実施形態を示し、マットシールを装着したコネクタの断面図である。
【図６】本発明の第２実施形態を示し、図５のＤ２部拡大図である。
【図７】従来例を示し、電線に装着する前のマットシールの断面図である。
【図８】従来例を示し、封止栓を装着した電線をコネクタハウジングの電線引出孔に挿入した状態の断面図である。
【発明を実施するための形態】
【００１０】
以下、本発明の実施形態を図面に基づいて説明する。
【００１１】
（第１実施形態）
図１〜図３は本発明の第１実施形態を示す。図１に示すように、コネクタ１Ａは、コネクタハウジング（ハウジング）２を有する。コネクタハウジング２には、複数の端子収容室３と、各端子収容室３に連続する電線引出孔４が形成されている。端子収容室３は、コネクタハウジング２の前面に開口している。電線引出孔４は、コネクタハウジング２の後面に開口している。
【００１２】
端子１０は、端子収容室３に配置されている。端子１０には、電線Ｗの一端が接続されている。端子１０が接続された電線Ｗは、電線引出孔４内に配置され、電線引出孔４より外部に引き出されている。電線Ｗの外周には、封止部材である封止栓１５が装着されている。
【００１３】
封止栓１５は、例えば弾性変形に富むゴム材より形成されている。封止栓１５は、電線の外側を保持する電線保持部１６と電線保持部１６の軸方向に形成された電線挿通孔１７とを有し、ほぼ円筒形状である。電線保持部１６の外周面には、外側に突出する複数のリップ部１８が設けられている。複数のリップ部１８は、電線保持部１６の軸方向に間隔を置いて設けられている。リップ部１８は、先端が円弧状の山形状である。リップ部１８の突出方向Ｓは、コネクタハウジング２の電線引出孔４への装着前の状態では、図２（ｂ）に示すように、電線挿通孔１７の軸方向Ａの垂直方向Ｖよりも挿入前向きに傾斜している。リップ部１８の突出方向Ｓは、その突出形状の中心軸を基準とする。封止栓１５は、電線Ｗの外側に装着された状態でハウジング２の電線引出孔４に挿入される。封止栓１５は、電線引出孔４に挿入される過程でリップ部１８が電線引出孔４の内面より摩擦力を受けつつ移動（摺動）する。これにより、リップ部１８の突出方向Ｓは、コネクタハウジング２の電線引出孔４への装着状態では、図２（ａ）に示すように、電線挿通孔１７の軸方向Ａの垂直方向Ｖとなる。挿入された封止栓１５は、電線Ｗの外周面と電線引出孔４の内周面に圧縮変形によってそれぞれ密着している。封止栓１５によって、電線引出孔４を通って外部より内部に浸入する水等の浸入を防止していると共に、電線挿通孔１７からの水等の侵入も防止している。
【００１４】
この封止栓１５によれば、リップ部１８の突出方向Ｓは、コネクタハウジング２の電線引出孔４への装着状態では、電線挿通孔１７の軸方向Ａの垂直方向Ｖであるので、図３に示すように、シール圧が最大となり、シール性（防水性）が向上する。シール圧が最大となるのは、リップ部１８の垂直方向の圧縮力が最大となる等の理由による。このようにシール圧を最大にできるため、シール性（防水性）が向上する。シール圧を最大にできるため、所望のシール圧を得るのに従来より小さなリップ部１８で可能となり、コネクタ１Ａの小型化に対応できる。
【００１５】
（第２実施形態）
図４〜図６は本発明の第２実施形態を示す。コネクタ１Ｂは、コネクタハウジング（ハウジング）２０と、コネクタハウジング２０に収容された封止部材であるマットシール３０と、マットシール３０の後方でマットシール３０を保持するカバー４０と、コネクタハウジング２０に装着される電線Ｗ付きの端子１０とを備えている。
【００１６】
コネクタハウジング２０には、複数の端子収容室２１とこれら端子収容室２１の電線引出側である後方に配置されたマットシール収容室２２が形成されている。マットシール３０は、マットシール収容室２２に収容されている。マットシール３０は、ゴム材等の軟質の弾性材より形成されている。マットシール３０は、電線保持部３１と、この電線保持部３１の各端子収容室２１に対応する位置に形成された電線挿通孔３２とを有する。電線挿通孔３２の内周面には、電線保持部３１の軸方向に間隔を置いて複数のリップ部３３が設けられている。リップ部３３は、電線挿通孔３２の内周面より内側に向かって突出している。リップ部３３は、先端が円弧状の山形状である。
【００１７】
リップ部３３の突出方向Ｓは、電線Ｗのコネクタハウジング２０への装着前、換言すれば、電線Ｗの電線挿通孔３２への装着前の状態では、電線挿通孔３２の軸方向Ａの垂直方向Ｖよりも挿入方向と反対向きに傾斜している（図５、図６の電線Ｗが貫通していないリップ部３３を参照）。リップ部３３の突出方向Ｓは、その突出形状の中心軸を基準とする。マットシール３０の電線挿通孔３２には、端子１０が接続された電線Ｗが挿入される。電線Ｗが挿入される過程で、リップ部３３は電線Ｗより摩擦力を受けつつ電線Ｗの挿入（摺動）を許容する。そして、リップ部３３の突出方向Ｓは、電線Ｗ（端子１０）のコネクタハウジング２０への装着状態では、電線挿通孔３２の軸方向Ａの垂直方向Ｖに位置される（図５、図６の電線Ｗが貫通しているリップ部３３を参照）。電線Ｗの外周面は、リップ部３３の圧縮変形によって電線保持部３１に密着している。マットシール３０によって、電線挿通孔３２を通って外部より内部に浸入する水等の浸入を阻止している。
【００１８】
このマットシール３０によれば、リップ部３３の突出方向Ｓは、電線Ｗのコネクタハウジング２０への装着状態では、電線挿通孔３２の軸方向Ａの垂直方向Ｖであるので、図３に示すように、シール圧が最大となり、シール性（防水性）が向上する。シール圧が最大となるのは、リップ部３３の垂直方向の圧縮力が最大となる等の理由による。このようにシール圧を最大にできるため、シール性（防水性）が向上する。シール圧を最大にできるため、所望のシール圧を得るのに従来より小さなリップ部３３で可能となり、コネクタ１Ｂの小型化に対応できる。
【００１９】
この明細書では、電線挿通孔１７，３２の軸方向Ａの垂直方向Ｖとは、軸方向Ａに対して９０度の角度のみならず、９０度に近い角度を含む。
【符号の説明】
【００２０】
１Ａ，１Ｂ  コネクタ
１５  封止栓（封止部材）
１６，３１  電線保持部
１７，３２  電線挿通孔
１８．３３  リップ部
３０  マットシール（封止部材）
【図１】
2016225030.tif 000003
【図２】
2016225030.tif 000004
【図３】
2016225030.tif 000005
【図４】
2016225030.tif 000006
【図５】
2016225030.tif 000007
【図６】
2016225030.tif 000008
【図７】
2016225030.tif 000009
【図８】
2016225030.tif 000010